(57)【要約】【課題】本発明は、使い勝手の向上を図りつつ、雨傘とカバーとの一体感を極力維持し、外観の悪化を抑制する雨傘用カバーを実現することを目的としている。【解決手段】このため、一端に石突き部を設けるとともに他端に把手部を設けた軸部と、軸部の一端側に取り付けた開閉自在な骨格部と、骨格部の外側を覆う傘生地とを備える雨傘において、雨傘の軸部の一端側にカバーを設け、カバーを、使用時に少なくとも傘生地を覆う本体部と、本体部を軸部の一端側に取り付ける取付手段と、本体部の使用時にこの本体部を伸長して少なくとも傘生地を覆う一方、本体部の不使用時には本体部を収縮させて軸部の一端側に固定する伸縮手段とを備えている。【選択図】図１
2014233386.tif 000002
【特許請求の範囲】
【請求項１】
一端に石突き部を設けるとともに他端に把手部を設けた軸部と、この軸部の一端側に取り付けた開閉自在な骨格部と、この骨格部の外側を覆う傘生地とを備える雨傘において、この雨傘の前記軸部の一端側にカバーを設け、このカバーを、使用時に少なくとも前記傘生地を覆う本体部と、この本体部を前記軸部の一端側に取り付ける取付手段と、前記本体部の使用時にこの本体部を伸長して少なくとも前記傘生地を覆う一方、前記本体部の不使用時にはこの本体部を収縮させて前記軸部の一端側に固定する伸縮手段とを備えることを特徴とする雨傘用カバー。
【請求項２】
前記カバーにおいて、前記本体部は、順次縮径し、かつ、同心状に嵌合させた複数個のプラスチック製の円筒状部材からなり、前記取付手段は、前記軸部の一端側に固定される取付軸部と、この取付軸部の外周に前記本体部を取り付ける本体取付部とからなるとともに、前記伸縮手段は、複数個の前記円筒状部材を伸長方向にスライド移動させた際に、円筒状部材のスライド移動を規制するスライド移動規制部を有することを特徴とする請求項１に記載の雨傘用カバー。
【請求項３】
前記カバーにおいて、前記本体部は、内部に円筒空間を形成する複数個の環状部材と、これらの環状部材を覆う被覆部材とからなり、前記取付手段は、前記軸部の一端側に固定される取付軸部と、この取付軸部に係合する本体係合部とからなるとともに、前記伸縮手段は、複数個の前記環状部材を軸方向にスライド移動させた際に、環状部材の軸方向へのスライド移動を前記被覆部材の材料寸法によって規制することを特徴とする請求項１に記載の雨傘用カバー。
【請求項４】
前記本体部は、順次縮径し、かつ、同心状に嵌合させた複数個の円筒状部材を形成する際に、各円筒状部材を凹凸嵌合させるべく円周部位の断面を凹凸形状としたことを特徴とする請求項１または２に記載の雨傘用カバー。
【請求項５】
前記本体部は、順次縮径し、かつ、同心状に嵌合させた複数個の円筒状部材を形成する際に、各円筒状部材に長手方向に延びる凹凸形状を形成し、各円筒状部材の凹凸形状を係合させて全体的な前記本体部の長さ調整を行う機能を付加したことを特徴とする請求項１または２に記載の雨傘用カバー。
【発明の詳細な説明】
【技術分野】
【０００１】
この発明は雨傘用カバーに係り、特に雨傘や折り畳み用雨傘のためのものであり、使い勝手や外観を改善した雨傘用カバーに関するものである。
【背景技術】
【０００２】
傘には、雨傘のみでなく、日傘や雨傘と日傘との両用できるものある。
特に、雨傘においては、使用後に雨水が付着した状態で建物や電車、バス内に入った場合に床が濡れて滑り易くなってしまうという不具合を回避するために、ビニール袋を使用するなどの種々の雨水対策が実施されている。
また、以下の特許文献１に開示されるように、雨傘に取り付けられるものもある。
【先行技術文献】
【特許文献】
【０００３】
【特許文献１】実用新案登録第３０５０２９５号公報
【発明の概要】
【発明が解決しようとする課題】
【０００４】
ところで、従来の雨傘用カバーにおいては、以下の不都合を有していた。
（１）雨傘にカバーを取り付けた際に、雨傘の外形からカバーが突出してしまい、大型化して邪魔になる。
（２）カバーの材質によっては、雨傘とカバーとの総重量が増加してしまい、使い勝手が悪化する。
（３）カバーの形状や材質によっては、雨傘とカバーとの一体感が損なわれ可能性があり、外観が悪化する。
【０００５】
この発明の目的は、カバーの使い勝手の向上を図りつつ、雨傘とカバーとの一体感を極力維持し、外観の悪化を抑制する雨傘用カバーを実現することにある。
【課題を解決するための手段】
【０００６】
そこで、この発明は、上述不都合を除去するために、一端に石突き部を設けるとともに他端に把手部を設けた軸部と、この軸部の一端側に取り付けた開閉自在な骨格部と、この骨格部の外側を覆う傘生地とを備える雨傘において、この雨傘の前記軸部の一端側にカバーを設け、このカバーを、使用時に少なくとも前記傘生地を覆う本体部と、この本体部を前記軸部の一端側に取り付ける取付手段と、前記本体部の使用時にこの本体部を伸長して少なくとも前記傘生地を覆う一方、前記本体部の不使用時にはこの本体部を収縮させて前記軸部の一端側に固定する伸縮手段とを備えることを特徴とする。
【発明の効果】
【０００７】
この発明によれば、雨傘の軸部の一端側にカバーを設けた際に、このカバーを、使用時に少なくとも傘生地を覆う本体部と、この本体部を軸部の一端側に取り付ける取付手段と、前記本体部の使用時にこの本体部を伸長して少なくとも前記傘生地を覆う一方、前記本体部の不使用時にはこの本体部を収縮させて前記軸部の一端側に固定する伸縮手段とを備える構成としている。
従って、雨傘にカバーを取り付けた際に、雨傘の外形からのカバーの突出状況を小とし、大型化を防止することができる。
また、雨傘とカバーとの総重量の増加を極力回避し、使い勝手を向上し得る。
更に、雨傘とカバーとの一体感を図り、外観の悪化を抑制できる。
【図面の簡単な説明】
【０００８】
【図１】図１はこの発明の第１実施例を示す雨傘用カバーの概略組立斜視図である。（実施例１）
【図２】図２は雨傘にカバーを取り付けた後、雨傘不使用時、かつ、カバーの本体部不使用時の概略斜視図である。（実施例１）
【図３】図３は雨傘にカバーを取り付けた後、雨傘不使用時、かつ、カバーの本体部使用時の概略斜視図である。（実施例１）
【図４】図４は雨傘にカバーを取り付けた後、雨傘使用時の概略斜視図である。（実施例）
【図５】図５はカバーの本体部の概略拡大図である。（実施例１）
【図６】図６はカバーの本体部のスライド移動の規制状態を示す要部拡大断面図である。（実施例１）
【図７】図７はカバーの本体部の取付軸部の一部切欠き拡大断面図である。（実施例１）
【図８】図８はこの発明の第２実施例を示すカバーの本体部の取付軸部の要部拡大断面図である。（実施例２）
【図９】図９はこの発明の第３実施例を示すカバーの本体部の取付軸部の要部拡大断面図である。（実施例３）
【図１０】図１０はこの発明の第４実施例を示すカバーの要部拡大断面図である。（実施例４）
【図１１】図１１はこの発明の第５実施例を示すカバーの本体部の概略拡大断面図である。（実施例５）
【図１２】図１２はこの発明の第６実施例を示すカバーの本体部の概略拡大説明図である。（実施例６）
【図１３】図１３はこの発明の第７実施例を示すカバーの本体部不使用時の概略説明図である。（実施例７）
【図１４】図１４はカバーの本体部使用時の概略説明図である。（実施例７）
【発明を実施するための形態】
【０００９】
以下図面に基づいてこの発明の実施例を詳細に説明する。
【実施例１】
【００１０】
図１〜図７はこの発明の第１実施例を示すものである。
図２〜図４において、１は雨傘、２は軸部である。
前記雨傘１は、前記軸部２と、図示しない骨格部と、傘生地３とを備えている。
このとき、前記軸部２は、図２〜図４に示す如く、先端である一端に石突き部（図示せず）を設けるとともに、他端に把手部４を設けている。
また、前記骨格部は、前記軸部２の一端側に取り付けられ、図示しない傘開放操作によって前記把手部４を把持する使用者を覆うべく開放する。
更に、前記傘生地３は、前記骨格部の外側を覆うものであり、布製やビニール製などからなるとともに、透明あるいは半透明のものもある。
【００１１】
前記雨傘１は、前記軸部２の一端側にカバー５を設けている。
そして、このカバー５を、使用時に少なくとも前記傘生地３を覆う本体部６と、この本体部６を前記軸部２の一端側に取り付ける取付手段７と、前記本体部６の使用時にこの本体部６を伸長して少なくとも前記傘生地３を覆う一方、前記本体部３の不使用時にはこの本体部３を収縮させて前記軸部２の一端側に固定する伸縮手段８とを備える構成とする。
【００１２】
詳述すれば、前記カバー５において、前記本体部６は、順次縮径し、かつ、同心状に嵌合させた複数個のプラスチック製の円筒状部材９からなる。
つまり、前記本体部６は、図１及び図５に示す如く、順次縮径し、かつ、スライド方向への長さをほぼ一定とした複数個のプラスチック製の円筒状部材９を形成し、これらの円筒状部材９を同心状に嵌合させている。
また、前記カバー５の前記取付手段７は、前記軸部２の一端側に固定される取付軸部１０と、この取付軸部１０の外周に前記本体部６を取り付ける本体取付部１１とからなる。
つまり、前記取付手段７の前記取付軸部１０は、図１に示す如く、筒状部材によって形成され、外周部位の一端側にねじ部１２を刻設するとともに、このねじ部１２に水抜き孔部１３を形成している。
そして、前記取付手段７の前記本体取付部１１は、前記取付軸部１０の他端側に形成した外側方向に突出する突出部１４と、前記ねじ部１２に螺合して前記本体部６を取付軸部１０外周に固定する一方、前記水抜き孔部１３の開閉を行うキャップ部１５とを備えている。
更に、前記カバー５の前記伸縮手段８は、複数個の前記円筒状部材９を伸長方向にスライド移動させた際に、円筒状部材９のスライド移動を規制するスライド移動規制部１６を有する。
このとき、スライド移動規制部１６としては、例えば図５及び図６に示す如く、前記円筒状部材９の一端側の内側面に第１突起１６−１を形成するとともに、円筒状部材９の他端側の外側面に第２突起１６−２を形成し、円筒状部材９を伸長方向にスライド移動させて第１突起１６−１と第２突起１６−２とを接触させて円筒状部材９のスライド移動を規制することも可能である。
【００１３】
次に作用を説明する。
【００１４】
前記雨傘１に前記カバー５を取り付けた後、雨傘不使用時、かつ、カバー５の本体部不使用時には、図２に示す如く、雨傘１の一端側に収縮した状態でカバー５が取り付けられる。
このとき、カバー５の材質や厚みの設定によって、カバー５の外形寸法を調整することが可能である。
【００１５】
そして、前記雨傘１に前記カバー５を取り付けた状態で雨傘１を使用しても、図４に示す如く、カバー５の前記本体部６を形成するプラスチック製の前記円筒状部材９の開口が雨傘１の骨格部の広がりを吸収し、雨傘１の使用に何ら不具合が生じない。
【００１６】
また、  前記雨傘１に前記カバー５を取り付けた後、雨傘不使用時、かつ、カバー５の本体部使用時には、図３に示す如く、雨傘１の前記軸部２の一端側から他端側に向かってスライド移動する前記本体部６によって前記傘生地３が覆われる。
このとき、前記雨傘１の傘生地３表面に付着した雨水は、前記軸部２の一端側の取付軸部１０内に収集される。
そして、前記キャップ部１５を前記ねじ部１２から除去、あるいは、前記キャップ部１５の螺合状態を緩めることによって、取付軸部１０の開放、あるいは、前記水抜き孔部１３を開放状態とすれば、取付軸部１０内に収集された雨水を排除することが可能である。
【００１７】
これにより、前記雨傘１は、前記軸部２の一端側にカバー５を設けている。
そして、このカバー５を、使用時に少なくとも前記傘生地３を覆う本体部６と、この本体部６を前記軸部２の一端側に取り付ける取付手段７と、前記本体部６の使用時にこの本体部６を伸長して少なくとも前記傘生地３を覆う一方、前記本体部３の不使用時にはこの本体部３を収縮させて前記軸部２の一端側に固定する伸縮手段８とを備える構成としている。
従って、前記雨傘１に前記カバー５を取り付けた際に、雨傘１の外形からのカバー５の突出状況を小とし、大型化を防止することができる。
また、前記雨傘１と前記カバー５との総重量の増加を極力回避し、使い勝手を向上し得る。
更に、前記雨傘１と前記カバー５との一体感を図り、外観の悪化を抑制できる。
【００１８】
また、前記カバー５において、前記本体部６は、順次縮径し、かつ、同心状に嵌合させた複数個のプラスチック製の円筒状部材９からなり、前記取付手段７は、前記軸部２の一端側に固定される取付軸部１０と、この取付軸部１０の外周に前記本体部６を取り付ける本体取付部１１とからなり、前記伸縮手段８は、複数個の前記円筒状部材９を伸長方向にスライド移動させた際に、円筒状部材９のスライド移動を規制するスライド移動規制部１６を有している。
従って、複数個のプラスチック製の円筒状部材９から前記本体部６を形成することによって、本体部６に必要な強度を確保しつつ、外形寸法を減少して小型化を図ることができる。
また、前記本体部６の軽量・小型化を図ることによって、前記雨傘１と前記カバー５との総重量の増加を極力回避することができ、使い勝手の向上に寄与し得る。
更に、前記本体部６の小型化を図ることによって、前記雨傘１と前記カバー５との一体感を実現でき、外観の悪化を抑制できる。
【実施例２】
【００１９】
図８はこの発明の第２実施例を示すものである。
この第２実施例において、上述第１実施例のものと同一機能を果たす箇所には、同一符号を付して説明する。
【００２０】
この第２実施例の特徴とするところは、前記カバーにおいて、前記取付手段の取付軸部２１の内部孔部２２形状をテーパ状に変更した点にある。
【００２１】
すなわち、前記取付軸部２１を形成する際に、図８に示す如く、この取付軸部２１の内部孔部２２を一端側から他端側に向かって漸次拡大するテーパ状とするものである。
【００２２】
さすれば、雨傘の軸部の一端側に前記カバーを取り付ける際に、テーパ状とした内部孔部２２によって軸部の一端側にカバーを堅固に取り付けることができる。
また、雨傘においては、軸部を形成する金属製や木製などの材質によって、軸部の太さが相違しているが、上述したテーパ状とした内部孔部２２によって、カバーの汎用性を高めることができる。
【実施例３】
【００２３】
図９はこの発明の第３実施例を示すものである。
【００２４】
この第３実施例の特徴とするところは、前記カバーにおいて、前記取付手段の取付軸部３１の内部孔部３２形状を断面波形に変更した点にある。
【００２５】
すなわち、前記取付軸部３１を形成する際に、図９に示す如く、この取付軸部３１の内部孔部３２を、一端側から他端側に向かって交互に直径の拡縮する断面波形とするものである。
【００２６】
さすれば、雨傘の軸部の一端側に前記カバーを取り付ける際に、交互に直径の拡縮する断面波形とした内部孔部３２によって、接触抵抗を意識することなく、軸部の一端側をカバーの取付軸部３１の内部孔部３２に深く挿入でき、堅固に取り付けることができる。
また、雨傘の軸部の一端側に前記カバーを固着する目的で、接着剤を使用する場合には、接着剤の余剰分を内部孔部３２の断面波形の凹部によって収容でき、余剰な接着剤が外部に溢流せず、外観をきれいな状態に維持することが可能である。
【実施例４】
【００２７】
図１０はこの発明の第４実施例を示すものである。
【００２８】
この第４実施例の特徴とするところは、前記カバー４１において、前記本体部４２を複数個の環状部材４３とこれらの環状部材４３を覆う被覆部材４４とにより構成した点にある。
【００２９】
すなわち、前記本体部４２は、内部に円筒空間を形成する複数個の環状部材４３と、これらの環状部材４３を覆う被覆部材４４とからなる。
このとき、環状部材４３は、同一内径とすることも可能であるが、この第４実施例においては、順次内径の増加する複数個、例えば第１環状部材４３−１、第２環状部材４３−２、第３環状部材４３−３、……によって形成する。
なお、前記環状部材４３としては、棒状部材や板状部材を環状に形成したものを使用することが可能である。
そして、これらの環状部材４３を前記被覆部材４４によって覆うものである。
なお、この被覆部材４４としては、材料に布や不織布、ビニール樹脂などを使用し、透明あるいは半透明な状態とすることが可能である。
【００３０】
また、前記本体部４２の取付手段４５は、軸部の一端側に固定される取付軸部４６と、この取付軸部４６に係合する本体係合部４７とからなる。
このとき、取付軸部４６の突起部４８の外形寸法を前記環状部材４３の最も内径の小さい第１環状部材４３−１の寸法よりも多く形成し、環状部材４３の抜け防止を図っている。
【００３１】
更に、前記本体部４２の伸縮手段（図示せず）としては、単に前記被覆部材４４の広がりによって実現することができる一方、伸縮機能を有する材料によって被覆部材４４を形成し、被覆部材４４を引き延ばすことによって実現することも可能である。
【００３２】
さすれば、上述第１実施例と同様に、前記本体部４２に必要な強度を確保しつつ、外形寸法を減少して小型化を図ることができる。
また、前記本体部４２の軽量・小型化を図ることによって、上述第１実施例と同様に、前記雨傘と前記カバー４１との総重量の増加を極力回避することができ、使い勝手の向上に寄与し得る。
更に、前記本体部４２の小型化を図ることによって、上述第１実施例と同様に、前記雨傘と前記カバー４１との一体感を実現でき、外観の悪化を抑制できる。
【実施例５】
【００３３】
図１１はこの発明の第５実施例を示すものである。
【００３４】
この第５実施例の特徴とするところは、前記カバー５１の前記本体部５２の円周部位の断面を凹凸形状とした複数個の円筒状部材５３からなる構成とした点にある。
【００３５】
すなわち、前記本体部５２は、順次縮径し、かつ、同心状に嵌合させた複数個の円筒状部材５３を形成する際に、各円筒状部材５３を凹凸嵌合させるべく円周部位の断面を凹凸形状とするものである。
このとき、複数個の前記円筒状部材５３は、図１１に示す如く、順次縮径し、かつ、同心状に嵌合させた、例えば５個の第１〜第５円筒状部材５３−１、５３−２、５３−３、５３−４、５３−５により構成する。
また、これらの第１〜第５円筒状部材５３−１、５３−２、５３−３、５３−４、５３−５を形成する際に、凹凸嵌合させるために、円周の所定部位に、例えば円周等間隔に４箇所の第１〜第４凹凸部５４ａ、５４ｂ、５４ｃ、５４ｄを形成する。
このとき、第１〜第４凹凸部５４ａ、５４ｂ、５４ｃ、５４ｄは、１箇所毎に、４個の第１〜第４凹凸部５４ａ−１、５４ａ−２、５４ａ−３、５４ａ−４や第１〜第４凹凸部５４ｂ−１、５４ｂ−２、５４ｂ−３、５４ｂ−４、第１〜第４凹凸部５４ｃ−１、５４ｃ−２、５４ｃ−３、５４ｃ−４、第１〜第４凹凸部５４ｄ−１、５４ｄ−２、５４ｄ−３、５４ｄ−４を夫々有している。
なお、凹凸形状においては、上述したように４個の凹凸部を現出させる形状のみでなく、単なる波形形状とすることも可能である。
【００３６】
さすれば、前記カバー５１の前記本体部５２の円周部位の断面を凹凸形状としたことにより、個々の前記円筒状部材５３の強度を向上させることができ、最終的には前記本体部５２、つまり前記カバー５１の強度向上を図ることができる一方、強度向上に伴い、使用する材料の厚みを減少させることも可能となり、材料費の低減が図れ、経済的にも有利である。
また、個々の前記円筒状部材５３の内周面に凹凸形状が現出されることにより、内部に濡れた雨傘を収容した際に、雨傘の傘生地表面に凹凸形状の凸部分のみが接触することとなり、凹部分が雨水の落下する通路となるため、雨水の収集能力を向上させることも可能である。
【実施例６】
【００３７】
図１２はこの発明の第６実施例を示すものである。
【００３８】
この第６実施例の特徴とするところは、前記カバー６１の前記本体部６２に長さ調整機能を付加する構成とした点にある。
【００３９】
すなわち、前記本体部６２は、順次縮径し、かつ、同心状に嵌合させた複数個の円筒状部材６３を形成する際に、各円筒状部材６３に長手方向（図１２の矢印Ａ方向）に延びる凹凸形状を形成し、各円筒状部材６３の凹凸形状を係合させて全体的な前記本体部６２の長さ調整を行う機能を付加したものである。
詳述すれば、前記本体部６２を、順次縮径し、かつ、同心状に嵌合させた複数個、例えば第１円筒状部材６３−１、第２円筒状部材６３−２、第３円筒状部材６３−３、……にて形成した際に、これらの第１円筒状部材６３−１、第２円筒状部材６３−２、第３円筒状部材６３−３、……には長手方向に延びる長さ調整用第１凹凸部６４ａ、長さ調整用第２凹凸部６４ｂ、長さ調整用第３凹凸部６３ｃ、……を形成する。
そして、これらの長さ調整用第１凹凸部６４ａ、長さ調整用第２凹凸部６４ｂ、長さ調整用第３凹凸部６３ｃ、……の箇所においては、第１円筒状部材６３−１、第２円筒状部材６３−２、第３円筒状部材６３−３、……に対応するように、長さ調整用第１凹凸部６４ａ−１、長さ調整用第２凹凸部６４ａ−２、長さ調整用第３凹凸部６３ａ−３、……や長さ調整用第１凹凸部６４ｂ−１、長さ調整用第２凹凸部６４ｂ−２、長さ調整用第３凹凸部６３ｂ−３、……、長さ調整用第１凹凸部６４ｃ−１、長さ調整用第２凹凸部６４ｃ−２、長さ調整用第３凹凸部６３ｃ−３、……、を夫々形成する。
なお、長さ調整用第１凹凸部６４−１、長さ調整用第２凹凸部６４−２、長さ調整用第３凹凸部６３−３、……の形状などに関しては、図１２に示す如く、長手方向に間欠的に形成されるもの以外にも、連続する波形形状のものでも可能である。
そして、前記カバー６１を使用する際には、前記本体部６２の第１円筒状部材６３−１、第２円筒状部材６３−２、第３円筒状部材６３−３、……を順次に長手方向にスライド移動させる。
このとき、雨傘の長さに応じて、第１円筒状部材６３−１、第２円筒状部材６３−２、第３円筒状部材６３−３、……の長さ調整用第１凹凸部６４−１、長さ調整用第２凹凸部６４−２、長さ調整用第３凹凸部６３−３、……を係合させ、前記カバー６１の前記本体部６２の長さを所定長さに維持し、雨傘を覆う。
【００４０】
さすれば、前記カバー６１の前記本体部６２に長さ調整機能を付加したことにより、使用態様に応じてカバー６１の本体部６２の長さを自在に調整可能となり、カバー６１の使い勝手を向上させることができる。
また、前記カバー６１を雨傘への取付・取り外し可能な構成とすれば、長さの異なる雨傘の全てに対応可能となり、カバー６１の汎用性を向上させることができるものである。
更に、この第６実施例のカバー６１の本体部６２に付加した長さ調整機能と、上述の第５実施例にて説明した前記カバー５１の前記本体部５２の円周部位の断面を凹凸形状とした個々の前記円筒状部材５３の強度向上の構成とを湊合すれば、前記カバー６１を所定の長さに調整した際に、この調整した状態の姿勢維持を確実に行うことができるものである。
【実施例７】
【００４１】
図１３及び図１４はこの発明の第７実施例を示すものである。
【００４２】
この第７実施例の特徴とするところは、前記カバー７１を折り畳み用雨傘７２に対応可能な構成とした点にある。
【００４３】
すなわち、前記カバー７１を折り畳み用雨傘７２に対応可能な構成とする際には、上述の第４実施例にて説明した本体部７３を構成する複数個の環状部材７４や、これらの環状部材７４を覆う被覆部材７５以外に、折り畳み用雨傘７２の先端部位に取り付ける構成が必要である。
この構成としては、例えば折り畳み用雨傘７２の先端部位の石突き部を取り外し、この石突き部を取り付けるねじ部（図示せず）を利用して前記カバー７１の前記本体部７３を取り付ける。
このとき、新たに取付用石突き部７６を利用する。
そして、前記環状部材７４の外周部位には、本体部７３の姿勢を維持するために、本体部７３を外周部位から挟持する帯状挟持部７７を設ける。
【００４４】
さすれば、前記折り畳み用雨傘７２に対応可能な前記カバー７１を実現することができることにより、上述第１実施例や第４実施例と同様に、前記本体部７３に必要な強度を確保しつつ、外形寸法を減少して小型化を図ることができる。
また、前記本体部７３の軽量・小型化を図ることによって、上述第１実施例や第４実施例と同様に、前記折り畳み用雨傘７２と前記カバー７１との総重量の増加を極力回避することができ、使い勝手の向上に寄与し得る。
更に、前記本体部７３の小型化を図ることによって、上述第１実施例や第４実施例と同様に、前記折り畳み用雨傘７２と前記カバー７１との一体感を実現でき、外観の悪化を抑制できる。
更にまた、前記帯状挟持部７７を設けることによって、前記環状部材７４の外周部位の所定部位から帯状挟持部７７で本体部７３の姿勢を固定し、本体部７３を前記折り畳み用雨傘７２の必要な部位を固定することが可能である。
【００４５】
なお、この発明は上述第１〜第７実施例に限定されるものではなく、種々の応用改変が可能である。
【００４６】
例えば、この発明の第４実施例や第７実施例においては、前記カバーにおいて、前記本体部に複数個の環状部材を使用する構成としたが、環状部材の代わりに、螺旋状部材を使用する特別構成とすることも可能である。
すなわち、螺旋状部材を、１本の棒状部材、あるいは、板状部材によって形成するものである。
このとき、材質としては、プラスチック製以外にも、金属製（ワイヤ形状）などの姿勢維持できる材料であれば、何でも使用可能である。
そして、前記螺旋状部材を被覆部材によって覆う構成とすれば対処可能である。
さすれば、前記本体部に必要な強度を確保しつつ、外形寸法を減少して小型化を図ることができる。
また、前記本体部の軽量・小型化を図ることによって、前記雨傘と前記カバーとの総重量の増加を極力回避することができ、使い勝手の向上に寄与し得る。
更に、前記本体部の小型化を図ることによって、前記雨傘と前記カバーとの一体感を実現でき、外観の悪化を抑制できる。
しかも、前記螺旋状部材を挿脱可能な構成とすれば、前記カバーの太さ調整を行うことも可能となり、カバーの本体部使用時に太さ調整機能によって細くすると、濡れた雨傘の絞り機能が発揮され、雨水の除去を迅速に行うことも可能である。
【符号の説明】
【００４７】
１  雨傘
２  軸部
３  傘生地
４  把手部
５  カバー
６  本体部
７  取付手段
８  伸縮手段
９  円筒状部材
１０  本体取付部
１２  ねじ部
１３  水抜き孔部
１４  突出部
１５  キャップ部
１６  スライド移動規制部
【図１】
2014233386.tif 000003
【図２】
2014233386.tif 000004
【図３】
2014233386.tif 000005
【図４】
2014233386.tif 000006
【図５】
2014233386.tif 000007
【図６】
2014233386.tif 000008
【図７】
2014233386.tif 000009
【図８】
2014233386.tif 000010
【図９】
2014233386.tif 000011
【図１０】
2014233386.tif 000012
【図１１】
2014233386.tif 000013
【図１２】
2014233386.tif 000014
【図１３】
2014233386.tif 000015
【図１４】
2014233386.tif 000016